(57)【要約】【課題】スライドショーの開始時に、一連の撮影済み画像の中から自動選択された最近撮影の画像を再生表示するか、予め選択指定されている指定画像を再生表示するかを特定してスライドショーを開始できるようにする。【解決手段】ＣＰＵ１０１は、スライドショーの開始時に現在の日時情報を取得すると共に、ワークメモリ１０３あるいは記録メディア１０４(撮影済み画像保存メモリ)をアクセスし、現在日時を基準とした所定期間(現在日あるいは現在週)内に撮影された最近撮影の画像が存在するか否かを判別し、最近撮影された画像が存在していれば、当該画像を再生対象として特定し、最近撮影された画像が存在していなければ、予め選択指定されているお気に入りフォルダ内の画像を再生対象として特定すると共に、再生対象として特定された画像をスライドショー形式で再生表示する。【選択図】      図２
2007243966.tif 000002
【特許請求の範囲】
【請求項１】
スライドショー形式で画像を再生表示する画像再生装置であって、
逐次撮影された一連の撮影済み画像をその撮影日時に対応付けて記憶管理すると共に、予め選択指定されている指定画像を記憶管理する画像記憶手段と、
主電源のオン、オフ操作に応じた前回の電源オン期間を特定する期間特定手段と、
スライドショーの開始時に、前記期間特定手段によって特定された前回の電源オン期間内で撮影された画像が存在しているか否かを判別する判別手段と、
この判別手段によって前回の電源オン期間内で撮影された画像が存在していることが判別された場合に、当該画像を再生対象として特定し、前回の電源オン期間内で撮影された画像が存在していないことが判別された場合に、前記指定画像を再生対象として特定する再生対象特定手段と、
この再生対象特定手段によって再生対象として特定された画像をスライドショー形式で再生表示する表示手段と、
を具備したことを特徴とする画像再生装置。
【請求項２】
前記表示手段は、前記電源オン期間内で撮影された画像が再生表示されている状態で再生指示操作が行われた際に、前記指定画像の再生表示に切り換える、ようにしたことを特徴とする請求項１記載の画像再生装置。
【請求項３】
コンピュータに対して、
逐次撮影された一連の撮影済み画像をその撮影日時に対応付けて記憶管理すると共に、予め選択指定されている指定画像を記憶管理する機能と、
主電源のオン、オフ操作に応じて前回の電源オン期間を特定する機能と、
スライドショーの開始時に、前回の電源オン期間内で撮影された画像が存在しているか否かを判別する機能と、
前回の電源オン期間内で撮影された画像が存在していることが判別された場合に、当該画像を再生対象として特定し、前回の電源オン期間内で撮影された画像が存在していないことが判別された場合に、前記指定画像を再生対象として特定する機能と、
再生対象として特定された画像をスライドショー形式で再生表示する機能と、
を実現させるためのプログラム。
【請求項４】
スライドショー形式で画像を再生表示する画像再生装置であって、
逐次撮影された一連の撮影済み画像を記憶管理すると共に、予め選択指定されている指定画像を記憶管理する画像記憶手段と、
スライドショーの実行にあたって、再生指示操作の有無を判別する判別手段と、
この判別手段によって再生指示操作が無かったことが判別された際には、前記撮影済み画像の中から自動選択した画像を再生対象として特定し、再生指示操作が有ったことが判別された際には、前記指定画像を再生対象として特定する特定手段と、
この特定手段によって再生対象として特定された画像をスライドショー形式で再生表示する表示手段と、
を具備したことを特徴とする画像再生装置。
【請求項５】
前記撮影済み画像の中から自動選択した画像は、現在日時を基準として選択された撮影済み画像、撮影済み画像内の未再生の画像、外部装置に対して未送信の画像、主電源のオン、オフ操作に応じた前回の電源オン期間内で撮影された画像のうち、少なくても、その何れかの画像である、ことを特徴とする請求項４記載の画像再生装置。
【請求項６】
前記表示手段は、前記撮影済み画像の中から自動選択した画像が再生表示されている状態で再生指示操作が行われた際には、前記指定画像の再生表示に切り換え、前記指定画像が再生表示されている状態で再生指示操作が行われた際には、前記撮影済み画像の中から自動選択した画像の再生表示に切り換える、ようにしたことを特徴とする請求項４記載の画像再生装置。
【請求項７】
コンピュータに対して、
逐次撮影された一連の撮影済み画像を記憶管理すると共に、予め選択指定されている指定画像を記憶管理する機能と、
スライドショーの実行にあたって、再生指示操作の有無を判別する機能と、
再生指示操作が無かったことが判別された際には、前記撮影済み画像の中から自動選択した画像を再生対象として特定し、再生指示操作が有ったことが判別された際には、前記指定画像を再生対象として特定する機能と、
再生対象として特定された画像をスライドショー形式で再生表示する機能と、
を実現させるためのプログラム。
【請求項８】
前記指定画像は、一連の撮影済み画像の中から予めユーザが任意に選択指定した画像、である、ことを特徴とする請求項１あるいは４に記載の画像再生装置。
【請求項９】
画像再生装置本体は、画面付きデジタルカメラであり、このカメラ内の二次電池を充電する充電スタンドに当該カメラが接続された際に、前記表示手段は、カメラ画面にスライドショー形式で画像を再生表示する、ようにしたことを特徴とする請求項１あるいは４に記載の画像再生装置。
【発明の詳細な説明】
【技術分野】
【０００１】
この発明は、スライドショー形式で画像を再生表示する画像再生装置およびプログラムに関する。
【背景技術】
【０００２】
一般に、デジタルカメラにおいては、撮影モードで撮影した各撮影済み画像を再生モードに切り換えることによって１枚ずつ画像送りを指示しながら確認したり、複数の撮影済み画像をスライドショー形式で表示(画像の自動送りによって再生表示)するものとしては、たとえば、カメラを商用電源駆動時に所定時間操作が無いことを条件にスライドショーを開始するようにした電子スチルカメラ用スクリーンセーバが知られている（特許文献１参照）。また、二次電池を充電する充電器に接続可能なデジタルカメラとしては、たとえば、カメラ本体が充電器にセットされたか否かを検出し、カメラ本体が充電器にセットされた際に、スライドショー形式で画像を再生表示するようにした情報再生装置が知られている（特許文献２参照）。
【特許文献１】特開平１１−３１３２２９号公報
【特許文献２】特開平２０００−３３３０４６号公報
【発明の開示】
【発明が解決しようとする課題】
【０００３】
しかしながら、従来のスライドショーでは、何れにおいても撮影済みの全画像を表示対象としたり、特定フォルダ内の画像のみ表示対象とするなど、表示対象となる画像範囲は、一義的に決まってしまう。
ところで、スライドショーで撮影済み画像を確認する際に、ユーザは、色々な要望があるはずであるが、従来の何れのスライドショーでもユーザの要望に答えることはできず、多数の画像を順次切り換え表示させながら一枚一枚慎重に確認しなければならず、ユーザに大きな負担をかけると共に、見落としなどのおそれもあり、しかも、不必要な画像のスライドショーによってユーザに迷惑をかけたり、目的画像を効率良く確認することができない等の問題があった。
【０００４】
第１の発明の課題は、スライドショーの開始時に、一連の撮影済み画像の中から前回の電源オン期間を基準として自動選択された画像を再生表示するか、予め選択指定されている指定画像を再生表示するかを特定してスライドショーを開始できるようにすることである。
第２の発明の課題は、スライドショーの実行にあたって再生指示操作の有無に応じて、一連の撮影済み画像の中から自動選択された画像を再生表示するか、予め選択指定されている指定画像を再生表示するかを特定してスライドショーを開始できるようにすることである。
【課題を解決するための手段】
【０００５】
請求項１記載の発明（第１の発明）は、スライドショー形式で画像を再生表示する画像再生装置であって、逐次撮影された一連の撮影済み画像をその撮影日時に対応付けて記憶管理すると共に、予め選択指定されている指定画像を記憶管理する画像記憶手段と、主電源のオン、オフ操作に応じた前回の電源オン期間を特定する期間特定手段と、スライドショーの開始時に、前記期間特定手段によって特定された前回の電源オン期間内で撮影された画像が存在しているか否かを判別する判別手段と、この判別手段によって前回の電源オン期間内で撮影された画像が存在していることが判別された場合に、当該画像を再生対象として特定し、前回の電源オン期間内で撮影された画像が存在していないことが判別された場合に、前記指定画像を再生対象として特定する再生対象特定手段と、この再生対象特定手段によって再生対象として特定された画像をスライドショー形式で再生表示する表示手段とを具備したことを特徴とする。
なお、「スライドショー形式」とは、複数の画像(動画あるいは静止画)を順次切り換えながら再生表示する以外にも、１つの画像(動画あるいは静止画)を再生表示する場合も含み、さらには、画像の自動送りのほかに、マニュアル操作によって画像を切り換えてもよい。したがって、広義には単なる画像の再生表示と同義である(以下、同様)。
【０００６】
請求項４記載の発明（第２の発明）は、スライドショー形式で画像を再生表示する画像再生装置であって、逐次撮影された一連の撮影済み画像を記憶管理すると共に、予め選択指定されている指定画像を記憶管理する画像記憶手段と、スライドショーの実行にあたって、再生指示操作の有無を判別する判別手段と、この判別手段によって再生指示操作が無かったことが判別された際には、前記撮影済み画像の中から自動選択した画像を再生対象として特定し、再生指示操作が有ったことが判別された際には、前記指定画像を再生対象として特定する特定手段と、この特定手段によって再生対象として特定された画像をスライドショー形式で再生表示する表示手段とを具備したことを特徴とする。
【発明の効果】
【０００７】
請求項１記載の発明（第１の発明）によれば、スライドショーの開始時に、前回の電源オン期間内で撮影された画像が存在しているか否かを判別し、前回の電源オン期間内で撮影された画像が存在していれば、当該画像を再生対象として特定し、前回の電源オン期間内で撮影された画像が存在していなければ、予め選択指定されている指定画像を再生対象として特定すると共に、再生対象として特定された画像をスライドショー形式で再生表示するようにしたから、スライドショーの開始時に、前回の電源オン期間内で撮影された画像が有れば、その画像を優先的に再生することができ、前回の電源オン期間内で撮影された画像が無ければ、予め選択指定されている指定画像(たとえば、お気に入り画像)を再生することができ、最近の撮影状況に応じて再生対象をダイナミックに変化させることが可能となる。この場合、一連の撮影済み画像の中から前回の電源オン期間内で撮影された画像が自動選択されるので、再生対象の選択操作など、特別な操作を行うことなく、最近撮影された画像を即座に確認することが可能となる。
【０００８】
請求項４記載の発明（第２の発明）によれば、スライドショーの実行にあたって、再生指示操作の有無を判別し、再生指示操作が無かった際には、撮影済み画像の中から自動選択した画像を再生対象として特定し、再生指示操作が有った際には、予め選択指定されている指定画像を再生対象として特定すると共に、再生対象として特定された画像をスライドショー形式で再生表示するようにしたから、スライドショーを実行する場合に、再生指示操作が行われなければ、撮影済み画像の中から自動選択した画像を優先的に再生することができ、再生指示操作が行われた場合には、予め選択指定されている指定画像(たとえば、お気に入り画像)を再生することができ、ユーザの意図に応じて再生対象をダイナミックに変化させることが可能となる。この場合、一連の撮影済み画像の中から画像が自動選択されるので、再生対象の選択操作など、特別な操作を行うことなく、撮影済み画像の中から自動選択した画像を即座に確認することが可能となる。
【発明を実施するための最良の形態】
【０００９】
（実施例１）
以下、図１〜図４を参照して本発明の第１実施例を説明する。
図１は、この実施例におけるデジタルカメラ１、クレードル(充電機能付きスタンド型拡張機器)２、パーソナルコンピュータ(ＰＣ)３との関係を示した外観斜視図である。
このデジタルカメラ１は、二次電池を主電源とすると共に、この二次電池を充電するクレードル２に接続可能な携帯型のスチルカメラであり、静止画撮影に限らず、動画撮影も可能なもので、カメラ１の裏面部にはカメラ画面１１が設けられ、また、この裏面部および上面部にはシャッターボタンなどの各種のボタンが設けられている。クレードル２は、ＡＣ電源に接続されていると共に、ケーブル４を介してＰＣ３側に接続されており、デジタルカメラ１が載置(セット)された際に、デジタルカメラ１内の二次電池を充電したり、デジタルカメラ１からの画像データをＰＣ３側に転送可能なもので、クレードル２の上面部には、後述するフォトボタン２１などが設けられている。
【００１０】
図２は、デジタルカメラ１の基本的な構成要素を示したブロック図である。
ＣＰＵ１０１は、記憶部１０２内のオペレーティングシステム、各種アプリケーションソフトに応じてこのデジタルスチルカメラ１の全体動作を制御する中央演算処理装置である。記憶部１０２は、ハードディスク等の固定的なメモリであり、プログラム記憶領域とデータ記憶領域とを有している。この記憶部１０２内のプログラム記憶領域には、後述する図４に示す動作手順で本実施例の動作を実現するためのアプリケーションプログラムが格納されている。このプログラム、データは、必要に応じてワークメモリ１０３にロードされたり、このワークメモリ１０３内のデータが記憶部１０２にセーブされる。なお、記録メディア１０４は、ＤＶＤ等の着脱自在なメモリであり、記憶部１０２、ワークメモリ１０３との間においてプログラム、画像データ等の授受を行う。
【００１１】
一方、ＣＰＵ１０１には、その入出力周辺デバイスである操作部１０５、表示部１０６、カメラ撮影部１０７がバスラインを介して接続されており、入出力プログラムに応じてＣＰＵ１０１は、これらの入出力デバイスの動作制御を行う。コネクタ部１０８は、カメラ本体をクレードル２にセットした際に、クレードル２側のコネクタ部に接続されるもので、クレードル２からの充電電流は、二次電池１０９に供給される。また、コネクタ部１０８には、通常と同様、充電用端子のほかに、クレードル２を介して画面データをＰＣ３側に送信するための通信用のデータ端子および制御端子を有し、ＣＰＵ１０１は、ＰＣ３側からの画像要求に応答して撮影済み画像をその要求元に送信したり、画像送信ボタンの操作に応答して撮影済み画像をＰＣ３側に送信するようにしている。操作部１０５は、シャッターボタンＳＴ、ズームボタンＷＤのほか、撮影モード／再生モードに切り換えるモードボタンＭＤ等、各種のファンクションボタンを有し、その操作信号はＣＰＵ１０１に与えられる。ここで、通常と同様、「撮影モード」は、撮影画像を取得して記録保存する動作モードであり、「再生モード」は、記録保存されている撮影画像を読み出してカメラ画面１１に再生出力させる動作モードである。
【００１２】
この「再生モード」に切り換えられている状態において、ＣＰＵ１０１は、画像送りボタンが操作される毎に、１枚ずつ画像を読み出してカメラ画面１１に再生出力させるほか、カメラ本体１が充電スタンド２に接続された際に、所定の画像をスライドショー形式でカメラ画面１１に再生出力させるようになっている。この場合、撮影済み画像がその撮影日時に対応付けて記憶管理されている状態において、ＣＰＵ１０１は、現在日時を基準とした所定期間内に撮影された最近撮影の画像が存在するか否かを判別し、最近撮影された画像が存在していれば、当該画像を再生対象として特定し、最近撮影された画像が存在していなければ、予め選択指定されている指定画像(たとえば、お気に入り画像)を再生対象として特定すると共に、再生対象として特定された画像をスライドショー形式で再生表示するようにしている。なお、お気に入りフォルダ内の画像は、一連の撮影済み画像の中から予めユーザが好みに応じて任意に選択指定した画像である。表示部１０６は、カメラ画面１１を構成するもので、たとえば、タッチパネル付きの液晶表示部であり、モニタ画面／ファインダ画面／画像再生画面として使用される。
【００１３】
カメラ撮影部１０７は、撮影レンズ、ミラー等のレンズ・ミラーブロック、ＣＣＤイメージセンサ等の撮像素子、その駆動系等を備えたもので、ＣＰＵ１０１は、光学ズーム機能を調整制御したり、オートフォーカス時の駆動制御、シャッター駆動制御、露出、ホワイトバランス等を制御する。画像メモリ１１０内の撮影画像は、１画像毎に画像ファイルとして内部メモリであるワークメモリ１０３あるいは外部メモリである記録メディア１０４に記録保存されるが、その際、このファイル名として「撮影日時」を付加して保存するようにしている。
【００１４】
図３は、クレードル２の基本構成を示したブロック図である。
クレードル２は、通常と同様に、ＡＣ電源に接続されているほか、ケーブル４を介してＰＣ３側に接続されている制御部２２と、上述したカメラ側のコネクタ部１０８に接続されるコネクタ部２３と、フォトボタン２１などの操作部２４とを有する充電機能付きスタンド型拡張機器である。制御部２２は、充電制御、転送制御などを行うもので、コネクタ部２３と上述したカメラ側のコネクタ部１０８とが接続された状態において、たとえば、カメラ内の二次電池１０９を約３時間でフル充電したり、デジタルカメラ１からの画像データをＰＣ３側に転送する。なお、クレードル２には、充電中、充電完了、通信中などを報知するランプ(図示せず)が設けられている。
【００１５】
次ぎに、この第１実施例におけるデジタルカメラの動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００１６】
図４は、デジタルカメラ１側の動作を示したフローチャートである。
先ず、ＣＰＵ１０１は、クレードル２からの充電電流を検出したか否かに基づいてカメラ本体がクレードル２にセットされたか否かを監視している(ステップＡ１)。ここで、クレードル２にセットされていない通常の状態では、ボタン操作に応じてカメラ処理(撮影処理／再生処理など)の実行に移るが(ステップＡ２)、カメラ本体がクレードル２にセットされたことを検出すると、ＣＰＵ１０１は、時計部(図示せず)から現在日時を取得すると共に(ステップＡ３)、ワークメモリ１０３あるいは記録メディア１０４(以下、撮影済み画像保存メモリと呼称する)をアクセスし、各撮影済み画の撮影日時、現在日時に基づいて現在日に撮影された画像を検索する(ステップＡ４)。
【００１７】
この結果、現在日に撮影された画像が複数枚(たとえば、２枚以上)検索されたか否かをチェックし(ステップＡ５)、現在日に撮影された画像が２枚以上存在していれば(ステップＡ５でＹＥＳ)、この各画像をスライドショーの再生対象として特定するが(ステップＡ６)、現在日に撮影された画像が複数無ければ(ステップＡ５でＮＯ)、現在日に基づいて現在週(今週)を決定すると共に、撮影済み画像保存メモリ内に現在週に撮影された画像を検索し(ステップＡ７)、現在週に撮影された画像が複数枚(たとえば、２枚以上)検索されたか否かをチェックする(ステップＡ８)。ここで、現在週に撮影された画像が複数存在していれば、この各画像をスライドショーの再生対象として特定し(ステップＡ９)、現在週に撮影された画像が複数無ければ、お気に入りフォルダ(図示せず)内の各画像をスライドショーの再生対象として特定する(ステップＡ１０)。
【００１８】
すなわち、スライドショーの再生対象を特定する際には、現在日に撮影された画像を最優先し、次ぎに、現在週に撮影された画像を優先するが、最近撮影の画像が２枚以上無ければ、お気に入りフォルダ内の画像を再生対象として特定する。このようにして再生対象を特定した後は、特定した画像を予め任意に設定されている一定時間間隔(たとえば、１０秒間隔)で順次切り換え表示させる(ステップＡ１１)。この場合、全ての画像を表示し終わるまで(ステップＡ１２)、各画像をスライド形式で順次切り換え表示させる。そして、全画像を表示し終わった際には(ステップＡ１２でＹＥＳ)、予め決められている所定回数分(たとえば、３回分)、スライドショー再生を繰り返したか否かを調べ(ステップＡ１３)、所定回数分の再生が完了するまでステップＡ１１に戻って再生表示を継続させる。なお、この実施例においては、カメラ電源がオフ状態であっても、充電スタンド２からの供給電圧を電源としてスライドショーを実行することができ、カメラ電源がオンされているか、オフされているかに拘らず、スライドショーを実行可能としている。
【００１９】
ここで、所定回数分の画像再生が完了すると、カメラ本体がクレードル２から取り外されたか否かをチェックするが(ステップＡ１４)、カメラ本体がクレードル２にセットされたままの状態であれば、ステップＡ１０に移り、お気に入りフォルダ内の画像を再生対象として特定した後に、この画像のスライドショー再生を行う(ステップＡ１１、Ａ１２)。この場合、最初に特定された画像が現在日あるいは現在週に撮影された画像であれば、この画像の再生後に、お気に入り画像の再生が開始されるが、最初に特定された画像がお気に入り画像であれば、カメラ本体がクレードル２から取り外されるまでの間、お気に入り画像の再生が継続される。
【００２０】
以上のように、この第１実施例においてＣＰＵ１０１は、スライドショーの開始時に現在の日時情報を取得すると共に、ワークメモリ１０３あるいは記録メディア１０４(撮影済み画像保存メモリ)をアクセスし、現在日時を基準とした所定期間(現在日あるいは現在週)内に撮影された最近撮影の画像が存在するか否かを判別し、最近撮影された画像が存在していれば、当該画像を再生対象として特定し、最近撮影された画像が存在していなければ、予め選択指定されているお気に入りフォルダ内の画像を再生対象として特定すると共に、再生対象として特定された画像をスライドショー形式で再生表示するようにしたから、スライドショーの開始時に、最近撮影された画像が有れば、その画像を優先的に再生することができ、最近撮影された画像が無ければ、お気に入り画像を再生することができ、最近の撮影状況に応じて再生対象をダイナミックに変化させることが可能となる。この場合、一連の撮影済み画像の中から最近撮影された画像が自動選択されるので、再生対象の選択操作など、特別な操作を行うことなく、最近撮影された画像を即座に確認することが可能となる。
【００２１】
また、カメラ本体をクレードル２にセットした状態において、カメラ画面１１にスライドショー形式で画像を再生表示するようにしたから、電池の消耗を気にせず、充電スタンドをフォトスタンドのように利用しながらスライドショーを見ることができる。また、スライドショーの開始時に、最初に特定された画像が最近撮影された画像であれば、この最近撮影の画像を再生した後に、お気に入り画像を再生するようにしたから、最近撮影された画像を確認した後に、お気に入り画像を確認することができる。さらに、最近撮影された画像を所定回数分繰り返して再生した後に、お気に入り画像を再生するようにしたから、最近撮影された画像をより確実に確認することができる。
【００２２】
なお、上述した第１実施例においては、現在日あるいは現在週に撮影された画像が２枚以上存在するか否かに応じて最近撮影された画像が存在するかを判別するようにしたが、たとえば、３枚以上存在するか否かに応じて最近撮影された画像が存在するかを判別するようにしてもよい。
また、上述した第１実施例においては、現在日時を基準とした所定期間内に撮影された最近撮影の画像が存在するか否かを判別する際に、所定期間を現在日あるいは現在週としたが、所定期間は、現在日時を基準として時間単位、日単位、週単位、月単位の何れかを単位とする期間であってもよい。
【００２３】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、逐次撮影された一連の撮影済み画像をその撮影日時に対応付けて記憶管理すると共に、予め選択指定されている指定画像を記憶管理する機能と、スライドショーの開始時に、現在の日時情報を取得する機能と、現在日時を基準とした所定期間内に撮影された最近撮影の画像が存在するか否かを判別する機能と、最近撮影された画像が存在していることが判別された場合には、当該画像を再生対象として特定し、最近撮影された画像が存在していない場合には、前記指定画像を再生対象として特定する機能と、再生対象として特定された画像をスライドショー形式で再生表示する機能とを実現させるためのプログラムを記録したコンピュータが読み取り可能な記録媒体を提供するようにしてもよい。
（実施例２）
【００２４】
以下、この発明の第２実施例について図５を参照して説明する。
なお、上述した第１実施例においては、スライドショーの開始時に、一連の撮影済み画像の中から自動選択された最近撮影の画像を再生表示するか、お気に入り画像を再生表示するかを特定してスライドショーを開始するようにしたが、この第２実施例においては、スライドショーの開始時に、一連の撮影済み画像の中から自動選択された未再生画像を再生表示するか、お気に入り画像を再生表示するかを特定してスライドショーを開始するようにしたものである。この場合、撮影済み画像保存メモリ内には、１回でも再生が行われた画像に対応して再生済みフラグがセットされているものとする。
ここで、両実施例において基本的あるいは名称的に同一のものは、同一符号を付して示し、その説明を省略すると共に、以下、第２実施例の特徴部分を中心に説明するものとする。
【００２５】
図５は、第２実施例におけるデジタルカメラ１側の動作を示したフローチャートである。
先ず、ＣＰＵ１０１は、上述した第１実施例と同様、カメラ本体がクレードル２にセットされたか否かを監視している状態において(ステップＢ１)、カメラ本体がクレードル２にセットされていない通常の状態では、ボタン操作に応じたカメラ処理を実行するが(ステップＢ２)、カメラ本体がクレードル２にセットされたことを検出すると、ＣＰＵ１０１は、上述の撮影済み画像保存メモリをアクセスし、再生済みフラグがセットされていない画像を検索することによって(ステップＢ３)、未再生画像の有無を調べる(ステップＢ４)。この場合、未再生画像が複数枚(たとえば、２枚以上)検索されたか否かをチェックし、２枚以上の未再生画像が有れば(ステップＢ４でＹＥＳ)、この各未再生画像をスライドショーの再生対象として特定するが(ステップＢ５)、２枚以上の未再生画像が無ければ、お気に入りフォルダ内の画像有無をチェックする(ステップＢ６)。ここで、お気に入り画像が無ければ(ステップＢ６でＮＯ)、最初のステップＢ１に移るが、お気に入り画像が有れば、各お気に入り画像をスライドショーの再生対象として特定する(ステップＢ７)。
【００２６】
このようにして再生対象を特定した後は、特定した画像を予め任意に設定されている一定時間間隔で順次切り換え表示させる(ステップＢ８)。この場合、全ての画像を表示し終わるまで(ステップＢ９)、各画像をスライド形式で順次切り換え表示させる。そして、全画像を表示し終わった際には(ステップＢ９でＹＥＳ)、今回、再生表示を行った各画像に対応付けて再生済みフラグをセットした後(ステップＢ１０)、予め決められている所定回数分(たとえば、３回分)、スライドショー再生を繰り返したか否かを調べ(ステップＢ１１)、所定回数分の再生が完了するまでステップＢ８に戻って再生表示を継続させる。ここで、所定回数分の画像再生が完了すると、カメラ本体がクレードル２から取り外されたか否かをチェックするが(ステップＢ１２)、カメラ本体がクレードル２にセットされたままの状態であれば、ステップＡ６に移り、お気に入りフォルダ内に画像が有ることを条件に、お気に入り画像を再生対象として特定した後(ステップＢ７)、この画像のスライドショー再生を行う(ステップＢ８、Ｂ９)。以下、カメラ本体がクレードル２から取り外されるまで上述の動作が繰り返される。
【００２７】
以上のように、この第２実施例においてＣＰＵ１０１は、スライドショーの開始時に、撮影済み画像保存メモリをアクセスし、撮影済み画像の中に未再生の画像が存在するか否かを判別し、未再生画像で存在していれば、当該未再生画像を再生対象として特定し、未再生画像が存在していなければ、お気に入り画像を再生対象として特定すると共に、再生対象として特定された画像をスライドショー形式で再生表示するようにしたから、スライドショーの開始時に、未再生画像が有れば、その画像を優先的に再生することができ、未再生画像が無ければ、お気に入り画像を再生することができ、再生状況に応じて再生対象をダイナミックに変化させることが可能となる。この場合、一連の撮影済み画像の中から未再生画像が自動選択されるので、再生対象の選択操作など、特別な操作を行うことなく、未再生画像を即座に確認することが可能となる。この場合、ＣＰＵ１０１は、未再生画像を再生表示した後に、お気に入り画像を再生表示するようにしたから、未再生画像を確認した後に、お気に入り画像を確認することができる。
【００２８】
なお、上述した第２実施例においては、未再生画像が２枚以上存在するか否かに応じて未再生画像を再生表示するようにしたが、３枚以上存在する場合に、未再生画像を再生表示するようにしてもよい。
【００２９】
一方、コンピュータが読み取り可能なプログラムコードを有する記録媒体であって、逐次撮影された一連の撮影済み画像を記憶管理すると共に、予め選択指定されている指定画像を記憶管理する機能と、スライドショーの開始時に、撮影済み画像の中に未再生の画像が存在するか否かを判別する機能と、未再生画像で存在していることが判別された場合に、当該未再生画像を再生対象として特定し、未再生画像が存在していないことが判別された場合に、前記指定画像を再生対象として特定する機能と、再生対象として特定された画像をスライドショー形式で再生表示する機能とを実現させるためのプログラムを記録したコンピュータが読み取り可能な記録媒体を提供するようにしてもよい。
（実施例３）
【００３０】
以下、この発明の第３実施例について図６を参照して説明する。
なお、上述した第１実施例においては、スライドショーの開始時に、一連の撮影済み画像の中から自動選択された最近撮影の画像を再生表示するか、お気に入り画像を再生表示するかを特定してスライドショーを開始するようにしたが、この第３実施例においては、スライドショーの開始時に、一連の撮影済み画像の中から自動選択された未送信の画像を再生表示として優先的に特定してスライドショーを開始するようにしたものである。この場合、撮影済み画像保存メモリ内には、ＰＣ３に送信した画像に対応付けて送信済みフラグがセットされているものとする。
ここで、第１および第３実施例において基本的あるいは名称的に同一のものは、同一符号を付して示し、その説明を省略すると共に、以下、第３実施例の特徴部分を中心に説明するものとする。
【００３１】
図６は、第３実施例におけるデジタルカメラ１側の動作を示したフローチャートである。
先ず、ＣＰＵ１０１は、カメラ本体がクレードル２にセットされたか否かを監視している状態において(ステップＣ１)、クレードル２にセットされていない通常の状態では、ボタン操作に応じたカメラ処理を実行するが(ステップＣ２)、カメラ本体がクレードル２にセットされたことを検出すると、ＣＰＵ１０１は、撮影済み画像保存メモリをアクセスし、送信済みフラグがセットされていない画像を検索することによって(ステップＣ３)、未送信画像の有無を調べる(ステップＣ４)。この場合、未送信画像が複数枚(たとえば、２枚以上)検索されたか否かをチェックし、２枚以上の未送信画像が有れば(ステップＣ４でＹＥＳ)、この各未送信画像をスライドショーの再生対象として特定するが(ステップＣ５)、２枚以上の未送信画像が無ければ、お気に入りフォルダ内の画像をスライドショーの再生対象として特定する(ステップＣ６)。
【００３２】
このようにして再生対象を特定した後は、特定した画像を予め任意に設定されている一定時間間隔で順次切り換え表示させる(ステップＣ７)。この場合、全ての画像を表示し終わるまで(ステップＣ８)、各画像をスライド形式で順次切り換え表示させる。そして、全画像を表示し終わった際には(ステップＣ８でＹＥＳ)、ＰＣ３から画像要求を受けたかをチェックし(ステップＣ９)、画像要求が有れば、要求された画像をＰＣ３に送信すると共に(ステップＣ１０)、当該画像に対応付けて送信済みフラグをセットする(ステップＣ１１)。そして、カメラ本体がクレードル２から取り外されたか否かをチェックするが(ステップＣ１２)、カメラ本体がクレードル２にセットされたままの状態であれば、ステップＣ６に移り、お気に入り画像を再生対象として特定した後にこの画像のスライドショー再生を行う(ステップＣ７、Ｃ８)。以下、カメラ本体がクレードル２から取り外されるまで上述の動作が繰り返される。
【００３３】
以上のように、この第３実施例においてＣＰＵ１０１は、スライドショーの開始時に、ＰＣ３に未送信の撮影済み画像が存在しているか否かを判別し、未送信画像が存在していれば、この未送信画像を再生対象として特定すると共に、再生対象として特定された画像をスライドショー形式で再生表示するようにしたから、未送信画像を十分に確認した後に外部装置に送信することができる。すなわち、ＰＣ３に対して送信済みの画像は、ＰＣ３側でも十分に確認することができるが、送信対象の画像を十分に確認したうえで送信するようにすれば、不必要な画像の無駄な送信を防ぐことができるため、未送信画像の強制的な再生によって送信対象の画像を十分に確認したうえで送信することができる。
【００３４】
この場合、未送信画像で存在していれば、この未送信画像を再生対象として特定し、未送信画像で存在していなければ、お気に入り画像を再生対象として特定するようにしたから、スライドショーの開始時に、未送信画像が有れば、その画像を優先的に再生することができ、未送信画像が無ければ、お気に入り画像を再生することができ、画像の送信状況に応じて再生対象をダイナミックに変化させることが可能となる。この場合、未送信画像の選択操作など、特別な操作を行うことなく、未送信画像を即座に確認することが可能となる。また、未送信画像を再生表示した後に、お気に入り画像を再生表示するようにしたから、未送信画像を確認した後に、お気に入り画像を確認することができる。
【００３５】
なお、上述した第３実施例においては、未表示画像が２枚以上存在するか否かに応じて未送信画像を再生表示するようにしたが、３枚以上存在する場合に、未送信画像を再生表示するようにしてもよい。
また、上述した第３実施例においては、ＰＣ３から画像要求が有れば、要求された画像をＰＣ３に送信するようにしたが、一定時間毎(たとえば、１日毎)に画像をＰＣ３に送信するようにしてもよい。
【００３６】
一方、コンピュータが読み取り可能なプログラムコードを有する記録媒体であって、逐次撮影された撮影済み画像を記憶管理する機能と、撮影済み画像を外部装置に送信する機能と、スライドショーの開始時に、外部装置に対して未送信の画像が存在しているか否かを判別する機能と、未送信画像が存在していることが判別された場合に、当該未送信画像を再生対象として特定する機能と、再生対象として特定された画像をスライドショー形式で再生表示する機能とを実現させるためのプログラムを記録したコンピュータが読み取り可能な記録媒体を提供するようにしてもよい。
（実施例４）
【００３７】
以下、この発明の第４実施例について図７および図８を参照して説明する。
なお、上述した第１実施例においては、スライドショーの開始時に、一連の撮影済み画像の中から自動選択された最近撮影の画像を再生表示するか、お気に入り画像を再生表示するかを特定してスライドショーを開始するようにしたが、この第４実施例においては、スライドショーの開始時に、一連の撮影済み画像の中から前回の電源オン期間を基準として自動選択された画像を再生表示するか、お気に入り画像を再生表示するかを特定してスライドショーを開始するようにしたものである。
ここで、第１および第４実施例において基本的あるいは名称的に同一のものは、同一符号を付して示し、その説明を省略すると共に、以下、第４実施例の特徴部分を中心に説明するものとする。
【００３８】
図７は、第４実施例における操作履歴テーブル１１１の内容を示した図である。
この操作履歴テーブル１１１は、主電源(撮影電源)のオン／オフ切り換え操作、撮影モード／再生モードの切り換え操作などの操作内容に対応してその操作日時を記憶管理するもので、この第４実施例においては、この操作履歴テーブル１１１を参照することによって前回、電源がオンされてからオフされるまでの期間を前回の電源オン期間として特定し、この電源オン期間内において撮影された画像を今回のスライドショーの再生対象として特定するようにしたものである。
【００３９】
図８は、第４実施例におけるデジタルカメラ１側の動作を示したフローチャートである。
先ず、ＣＰＵ１０１は、カメラ本体がクレードル２にセットされたか否かを監視している状態において(ステップＤ１)、クレードル２にセットされていない通常の状態では、ボタン操作に応じたカメラ処理を実行するが(ステップＤ２)、カメラ本体がクレードル２にセットされたことを検出すると、ＣＰＵ１０１は、操作履歴テーブル１１１を検索して前回の電源オン期間を特定すると共に(ステップＤ３)、この前回の電源オン期間内に撮影された画像を検索し(ステップＤ４)、該当画像の有無をチェックする(ステップＤ５)。ここで、該当画像が有れば、この検索画像をスライドショーの再生対象として特定するが(ステップＤ６)、該当画像が無ければ、お気に入りフォルダ内の画像をスライドショーの再生対象として特定する(ステップＤ７)。
【００４０】
このようにして再生対象を特定した後は、特定した画像を予め任意に設定されている一定時間間隔で順次切り換え表示させる(ステップＤ８)。この場合、全ての画像を表示し終わるまで(ステップＤ９)、各画像をスライド形式で順次切り換え表示させる。そして、全画像を表示し終わった際には(ステップＤ９でＹＥＳ)、カメラ本体がクレードル２から取り外されたか否かをチェックするが(ステップＤ１０)、カメラ本体がクレードル２にセットされたままの状態であれば、クレードル２側からフォト信号が入力されたか、つまり、クレードル２側に設けられているフォトボタン２１の操作有無をチェックする(ステップＤ１１)。
【００４１】
この場合、フォトボタン２１は、通常、スライドショーの再生を指示するボタンであるが、この第４実施例においては、表示切り換えとして機能するもので、フォトボタン２１が操作されなければ(ステップＤ１１でＮＯ)、現在の再生中の画像を継続表示させるためにステップＤ８に戻り、また、フォトボタン２１が操作された場合には、お気に入り画像を再生対象として特定するためにステップＤ７に移る。すなわち、電源オン期間内で撮影された画像が再生表示されている状態で再生指示操作が行われると、お気に入り画像に切り換え表示させるが、お気に入り画像が再生表示されている状態で再生指示操作が行われても、お気に入り画像が継続表示される。以下、カメラ本体がクレードル２から取り外されるまで上述の動作が繰り返される。
【００４２】
以上のように、この第４実施例においてＣＰＵ１０１は、スライドショーの開始時に、前回の電源オン期間内で撮影された画像が存在しているか否かを判別し、前回の電源オン期間内で撮影された画像が存在していれば、当該画像を再生対象として特定し、前回の電源オン期間内で撮影された画像が存在していなければ、お気に入り画像を再生対象として特定すると共に、再生対象として特定された画像をスライドショー形式で再生表示するようにしたから、スライドショーの開始時に、前回の電源オン期間内で撮影された画像が有れば、その画像を優先的に再生することができ、前回の電源オン期間内で撮影された画像が無ければ、お気に入り画像を再生することができ、最近の撮影状況に応じて再生対象をダイナミックに変化させることが可能となる。この場合、一連の撮影済み画像の中から前回の電源オン期間内で撮影された画像が自動選択されるので、再生対象の選択操作など、特別な操作を行うことなく、最近撮影された画像を即座に確認することが可能となる。また、電源オン期間内で撮影された画像が再生表示されている状態でフォトボタン２１が操作された際には、お気に入り画像の再生表示に切り換えるようにしたから、ユーザ指示に応じて電源オン期間内で撮影された画像からお気に入り画像に切り換えることができる。
【００４３】
なお、上述した第４実施例においては、前回の電源オン期間内で撮影された画像が１枚でも有れば、その画像を再生対象として特定するようにしたが、前回の電源オン期間内で撮影された画像が複数枚有ることを条件に、再生対象として特定するようにしてもよい。また、上述した第４実施例においては、前回の電源オン期間内で撮影された画像が無い場合に、お気に入り画像を再生対象として特定するようにしたが、前回の電源オン期間内に含まれる画像が１つも無ければ、再び操作履歴テーブル１１１を参照して前前回の電源オン期間を特定し、前前回の電源オン期間に撮影された画像の有無を検索するようにしてもよい。
【００４４】
一方、コンピュータが読み取り可能なプログラムコードを有する記録媒体であって、逐次撮影された一連の撮影済み画像をその撮影日時に対応付けて記憶管理すると共に、予め選択指定されている指定画像を記憶管理する機能と、主電源のオン、オフ操作に応じて前回の電源オン期間を特定する機能と、スライドショーの開始時に、前回の電源オン期間内で撮影された画像が存在しているか否かを判別する機能と、前回の電源オン期間内で撮影された画像が存在していることが判別された場合に、当該画像を再生対象として特定し、前回の電源オン期間内で撮影された画像が存在していないことが判別された場合に、前記指定画像を再生対象として特定する機能と、再生対象として特定された画像をスライドショー形式で再生表示する機能とを実現させるためのプログラムを記録したコンピュータが読み取り可能な記録媒体を提供するようにしてもよい。
（実施例５）
【００４５】
以下、この発明の第５実施例について図９を参照して説明する。
なお、上述した第１実施例においては、スライドショーの開始時に、一連の撮影済み画像の中から自動選択された最近撮影の画像を再生表示するか、お気に入り画像を再生表示するかを特定してスライドショーを開始するようにしたが、第５実施例においては、スライドショーの実行にあたって再生指示操作の有無に応じて、一連の撮影済み画像の中から自動選択された画像を再生表示するか、お気に入り画像を再生表示するかを特定してスライドショーを開始するようにしたものである。この場合、再生指示操作の有無は、クレードル２側のフォトボタン２１の操作有無に基づいて判別され、フォトボタン２１が操作される毎にフォトフラグ(図示せず)の内容を切り換るようにしている。
ここで、第１および第５実施例において基本的あるいは名称的に同一のものは、同一符号を付して示し、その説明を省略すると共に、以下、第５実施例の特徴部分を中心に説明するものとする。
【００４６】
図９は、第５実施例におけるデジタルカメラ１側の動作を示したフローチャートである。
先ず、ＣＰＵ１０１は、カメラ本体がクレードル２にセットされたか否かを監視している状態において(ステップＥ１)、クレードル２にセットされていない通常の状態では、ボタン操作に応じたカメラ処理を実行するが(ステップＥ２)、カメラ本体がクレードル２にセットされたことを検出すると、ＣＰＵ１０１は、クレードル２側からフォト信号が入力されたか、つまり、スライドショーの実行にあたってクレードル２側のフォトボタン２１の操作有無をチェックする(ステップＥ３)。
【００４７】
いま、カメラ本体がクレードル２にセットされ、かつ、フォトボタン２１が操作された場合には、お気に入りフォルダ内の画像をスライドショーの再生対象として特定すると共に(ステップＥ１４)、フォトフラグを“１”にセットする(ステップＥ１５)。この状態において、お気に入り画像を一定時間間隔で順次切り換え表示させる(ステップＥ１０)。このようにお気に入り画像を再生表示している状態において、再びクレードル２側からのフォト信号の有無をチェックし(ステップＥ１１)、フォトボタン２１が操作されなければ(ステップＥ１１でＮＯ)、カメラ本体がクレードル２から取り外されたか否かをチェックするが(ステップＥ１２)、カメラ本体がクレードル２にセットされたままの状態であれば、現在の再生中のお気に入り画像を継続表示させるためにステップＥ１０に戻る。
【００４８】
一方、スライドショーの実行にあたってフォトボタン２１が操作されなければ(ステップＥ３でＮＯ)、フォトフラグに“０”をセットする(ステップＥ４)。そして、ＣＰＵ１０１は、時計部(図示せず)から現在日時を取得すると共に、撮影済み画像保存メモリをアクセスし、各撮影済み画の撮影日時、現在日時に基づいて現在日に撮影された画像を検索する(ステップＥ５)。この結果、現在日に撮影された画像が複数枚(たとえば、２枚以上)検索されたか否かをチェックし(ステップＥ６)、現在日に撮影された画像が２枚以上存在していれば、この各画像をスライドショーの再生対象として特定するが(ステップＥ７)、現在日に撮影された画像が複数無ければ(ステップＥ６でＮＯ)、撮影順にしたがって現在日時から遡った１０枚の画像(最近撮影された画像)を選択し(ステップＥ８)、この選択画像をスライドショーの再生対象として特定する(ステップＥ９)。このようにして再生対象を特定した後は、特定した画像を一定時間間隔で順次切り換え表示させる(ステップＥ１０)。
【００４９】
この状態において、クレードル２側のフォトボタン２１の操作有無をチェックするが(ステップＥ１１)、フォトボタン２１が操作されず(ステップＥ１１でＮＯ)、かつ、カメラ本体がクレードル２にセットされたままの状態であれば(ステップＥ１２でＮＯ)、現在の再生中の画像を継続表示させるためにステップＥ１０に戻る。いま、フォトボタン２１が操作された場合には、ステップＥ１３に移り、フォトフラグは“０”にセットされているか否かをチェックする。ここで、現在日あるいは最近撮影された画像を再生表示している状態では、フラグは“０”にセットされているので、この状態でフォトボタン２１が操作されると、お気に入り画像を再生対象として特定すると共に(ステップＥ１４)、フラグを“１”にセットした後(ステップＥ１５)、上述のステップＥ１０に戻って、お気に入り画像の表示に切り換える。また、お気に入り画像を再生表示している状態では、フラグは“１”にセットされているので、この状態でフォトボタン２１が操作されると、ステップＥ４に戻って、フラグを“０”にセットした後に、現在日あるいは最近撮影された画像の表示に切り換える(ステップＥ５〜Ｅ１０)。以下、同様に、フォトボタン２１が操作される毎に、現在日あるいは最近撮影された画像とお気に入り画像とが交互に切り換え表示される。
【００５０】
以上のように、この第５実施例においてＣＰＵ１０１は、スライドショーの実行にあたって、クレードル２側のフォトボタン２１の操作有無を判別し、フォトボタン２１の操作が無かった際には、撮影済み画像の中から自動選択した画像を再生対象として特定し、フォトボタン２１の操作が有った際には、お気に入り画像を再生対象として特定すると共に、再生対象として特定された画像をスライドショー形式で再生表示するようにしたから、スライドショーを実行する場合に、フォトボタン２１が操作された場合には、撮影済み画像の中から自動選択した画像を優先的に再生することができ、フォトボタン２１が操作されなかった場合には、お気に入り画像を再生することができ、ユーザの意図に応じて再生対象をダイナミックに変化させることが可能となる。この場合、一連の撮影済み画像の中から画像が自動選択されるので、再生対象の選択操作など、特別な操作を行うことなく、撮影済み画像の中から自動選択した画像を即座に確認することが可能となる。
【００５１】
ここで、撮影済み画像の中から自動選択した画像が再生表示されている状態でフォトボタン２１が操作された際には、お気に入り画像の再生表示に切り換え、お気に入り画像が再生表示されている状態でフォトボタン２１が操作された際には、撮影済み画像の中から自動選択した画像の再生表示に切り換えるようにしたから、撮影済み画像の中から自動選択した画像とお気に入り画像とを交互に切り換え表示させることができる。
【００５２】
なお、上述した第５実施例においては、撮影済み画像の中から自動選択した画像は、現在日に撮影された画像あるいは最近撮影された画像としたが、上述した第２〜第４実施例で示した画像、つまり、撮影済み画像内の未再生の画像、外部装置に対して未送信の画像、主電源のオン、オフ操作に応じた前回の電源オン期間内で撮影された画像のうち、少なくても、その何れかの画像であってもよい。
【００５３】
一方、コンピュータが読み取り可能なプログラムコードを有する記録媒体であって、逐次撮影された一連の撮影済み画像を記憶管理すると共に、予め選択指定されている指定画像を記憶管理する機能と、スライドショーの実行にあたって、再生指示操作の有無を判別する機能と、再生指示操作が無かったことが判別された際には、前記撮影済み画像の中から自動選択した画像を再生対象として特定し、再生指示操作が有ったことが判別された際には、前記指定画像を再生対象として特定する機能と、再生対象として特定された画像をスライドショー形式で再生表示する機能とを実現させるためのプログラムを記録したコンピュータが読み取り可能な記録媒体を提供するようにしてもよい。
【００５４】
上述した各実施例においては、一連の撮影済み画像の中から予めユーザが任意に選択指定した画像として、お気に入りフォルダ内の画像を例示したが、予め被写体別に分類仕分けされた被写体画像などであってもよく、また、任意に選択した画像、外部供給された画像などであってもよい。
また、上述した各実施例においては、デジタルカメラに適用した場合を例示したが、カメラ画像が転送されるＰＤＡ、ＰＣなどであってもよい。
【図面の簡単な説明】
【００５５】
【図１】デジタルカメラ１、クレードル(充電機能付きスタンド型拡張機器)２、パーソナルコンピュータ(ＰＣ)３との関係を示した外観斜視図。
【図２】デジタルカメラの基本的な構成要素を示したブロック図。
【図３】クレードル２の基本構成を示したブロック図。
【図４】デジタルカメラ１側の動作を示したフローチャート。
【図５】第２実施例におけるデジタルカメラ１側の動作を示したフローチャート。
【図６】第３実施例におけるデジタルカメラ１側の動作を示したフローチャート。
【図７】第４実施例における操作履歴テーブル１１１の内容を示した図。
【図８】第４実施例におけるデジタルカメラ１側の動作を示したフローチャート。
【図９】第５実施例におけるデジタルカメラ１側の動作を示したフローチャート。
【符号の説明】
【００５６】
１  デジタルカメラ
２  クレードル
３  ＰＣ
１１  カメラ画面
２１  フォトボタン
１０１  ＣＰＵ
１０２  記憶部
１０４  記録メディア
１０５  操作部
１０６  表示部
１０７  カメラ撮影部
１０９  二次電池
１１１  操作履歴テーブル
【図１】
2007243966.tif 000003
【図２】
2007243966.tif 000004
【図３】
2007243966.tif 000005
【図４】
2007243966.tif 000006
【図５】
2007243966.tif 000007
【図６】
2007243966.tif 000008
【図７】
2007243966.tif 000009
【図８】
2007243966.tif 000010
【図９】
2007243966.tif 000011